【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
異種の金融情報交換ネットワークにおいて顧客を接続するための装置であって、
第１のバックボーン・コンピュータ・ネットワークと、
前記第１バックボーン・コンピュータ・ネットワークに接続された１以上の金融情報交換プロキシ・コンピュータ・システムと、
前記第１バックボーン・コンピュータ・ネットワークに接続された１以上の金融情報交換データベースおよび管理コンピュータ・システムと、
前記第１バックボーン・コンピュータ・ネットワークに接続された１以上の情報顧客コンピュータ・システムと、
前記第１バックボーン・コンピュータ・ネットワークに接続された金融情報交換バックボーン・コンピュータ・ネットワークと、
を備える、装置。
【請求項２】
請求項１記載の装置において、前記金融情報交換バックボーン・コンピュータ・ネットワークが、
１以上のアクセス・センタ・コンピュータ・システムであって、それぞれが更にコンピュータ・プロセッサ・サブシステム、コンピュータ・メモリ・サブシステム、コンピュータ・ストレージ・サブシステム、およびコンピュータ通信サブシステムを備える１以上のアクセス・センタ・コンピュータ・システムと、
前記アクセス・センタ・コンピュータ・システム間の高速相互接続と、
を備える、装置。
【請求項３】
請求項１記載の装置において、金融情報交換プロキシ・コンピュータ・システムのそれぞれが、
１以上のコンピュータ・プロセッサと、
コンピュータ・メモリ・サブシステムと、
コンピュータ・ストレージ・サブシステムと、
コンピュータ通信サブシステムと、
前記１以上のコンピュータ・プロセッサを介して動作し、前記金融情報交換プロキシ・コンピュータ・システムのユーザにサービスを提供する１以上のコンピュータ・アプリケーション・プログラムのセットと、
前記アクセス・センタ・コンピュータ・システム間の高速相互接続と、
を備える、装置。
【請求項４】
請求項３に記載の装置において、前記１以上のコンピュータ・アプリケーション・プログラムのセットが、
金融情報交換プロキシ・コンピュータ・システム間のメッセージ・トラフィックをロギングするための金融情報交換コンピュータ・プログラムと、
金融情報交換プロキシ・コンピュータ・システムから凝集された供給情報を収集および提示するための１以上のコンピュータ・プログラムと、
金融情報交換プロキシ・コンピュータ・システムおよびネットワーク構成を管理するための１以上のコンピュータ・プログラムと、
金融情報交換プロキシ・コンピュータ・システムの動作セッションを管理するための１以上のコンピュータ・プログラムと、
を含む、装置。
【請求項５】
請求項４記載の装置において、凝集された供給情報を収集および提示するための前記１以上のコンピュータ・プログラムが、
前記凝集された供給情報を作成するために、ポイント・ツー・ポイント接続からの金融情報交換データをリアルタイムに凝集するための１以上のプログラム・コンポーネントと、
供給バックボーン・ネットワークに対し前記供給情報を標準化したフォーマットでリアルタイムに公表するための１以上のプログラム・コンポーネントと、
メッセージ・キャプチャの活性化および非活性化について顧客制御を提供するための１以上のプログラム・コンポーネントと、
凝集された供給情報を複数の顧客に提供するための１以上のプログラム・コンポーネントと、
接続トラフィックのマルチキャスト・プロセスへの伝送を構成するための１以上のプログラム・コンポーネントと、
を含む、装置。
【請求項６】
請求項５記載の装置において、前記標準化したフォーマットが、
メッセージの送信側の識別子を収容する要素と、
メッセージの受信側の識別子を収容する要素と、
メッセージ・タイプの識別子を収容する要素と、
メッセージのシンボルの識別子を収容する要素と、
を含む、装置。
【請求項７】
請求項４記載の装置において、金融情報交換プロキシ・コンピュータ・システムから前記凝集された供給情報が、
１以上の金融情報交換プロトコル・アプリケーション・メッセージと、
１以上の金融情報交換プロトコル管理メッセージと、
を含む、装置。
【請求項８】
請求項４記載の装置において、金融情報交換プロキシ・コンピュータ・システムの動作セッションを管理するための前記１以上のコンピュータ・プログラムが、
１以上のユーザ接続イベント処理プログラム・コンポーネントと、
１以上のユーザ切断イベント処理プログラム・コンポーネントと、
１以上の金融情報交換接続ステータス管理プログラム・コンポーネントと、
を含む、装置
【請求項９】
請求項４に記載の装置において、金融情報交換プロキシ・コンピュータ・システムおよびネットワーク構成を管理する前記１以上のコンピュータ・プログラムが、
金融情報交換プロキシ・コンピュータ・システム間のメッセージ処理負荷をバランシングするための１以上のプログラム・コンポーネントと、
金融情報交換プロキシ・コンピュータ・システム内のメッセージ処理負荷をスロットルするための１つ以上のプログラム・コンポーネントと、
動作イベントおよびプロキシ接続トラフィックをロギングするための１以上のプログラム・コンポーネントと、
サービス提供しているホストを、既存の顧客接続の状態に影響をおよぼすことなく活性サービスに引き込みおよび引き出すための１以上のプログラム・コンポーネントと、
サービス提供しているプロキシ接続を、他の顧客接続の状態に影響をおよぼすことなく活性サービスに引き込みおよび引き出すための１以上のプログラム・コンポーネントと、
クライアントの取引相手のエンドポイント間の接続性を維持するための１以上のプログラム・コンポーネントと、
を含む、装置。
【請求項１０】
請求項１に記載の装置において、１以上の外部金融情報交換ネットワークが前記金融情報交換バックボーン・コンピュータ・ネットワークに接続され、１以上の金融情報交換クライアント・コンピュータ・システムが前記１以上の外部金融情報交換ネットワークに接続される、装置。
【請求項１１】
請求項１に記載の装置において、前記第１バックボーン・コンピュータ・ネットワークが中央構成コンピュータ・システムに接続される、装置。
【請求項１２】
請求項１に記載の装置において、前記第１バックボーン・コンピュータ・ネットワークがモニタリングおよびデータ・ウェアハウジングのエージェント・コンピュータ・システムに接続される、装置。
【請求項１３】
異種の金融情報交換ネットワークにおいて顧客を接続するための方法であって、
第１のバックボーン・コンピュータ・ネットワークを構築し、動作させるステップと、
１以上の金融情報交換プロキシ・コンピュータ・システムを前記第１バックボーン・コンピュータ・ネットワークに接続するステップと、
１以上の金融情報交換データベースおよび管理コンピュータ・システムを前記第１バックボーン・コンピュータ・ネットワークに接続するステップと、
１以上の情報顧客コンピュータ・システムを前記第１バックボーン・コンピュータ・ネットワークに接続するステップと、
金融情報交換バックボーン・コンピュータ・ネットワークを前記第１バックボーン・コンピュータ・ネットワークに接続するステップと、
異種の金融情報交換ネットワークにおける顧客間の取引および取引関連のトランザクションを処理するステップと、
ネットワークおよびコンピュータ・システムの管理に関するトランザクションを処理するステップと、
を含む、方法。
【請求項１４】
請求項１３記載の方法であって、さらに、
１以上のアクセス・センタ・コンピュータ・システムを前記金融情報交換バックボーン・コンピュータ・ネットワークに接続するステップと、
前記アクセス・センタ・コンピュータ・システムを高速接続で相互接続するステップと、
を含む、方法。
【請求項１５】
請求項１３記載の方法であって、さらに、
１以上の外部金融情報交換ネットワークを前記金融情報交換バックボーン・コンピュータ・ネットワークに接続するステップと、
１以上の金融情報交換クライアント・コンピュータ・システムを前記１以上の外部金融情報交換ネットワークの内の何れかに接続するステップと、
を含む、方法。
【請求項１６】
請求項１３記載の方法において、異種の金融情報交換ネットワークにおける顧客間の取引および取引関連のトランザクションを処理する前記ステップが、
金融情報交換プロキシ・コンピュータ・システム間でのメッセージ・トラフィックをロギングするステップと、
金融情報交換プロキシ・コンピュータ・システムから凝集された供給情報を収集および提示するステップと、
を含む、方法。
【請求項１７】
請求項１６記載の方法において、凝集された供給情報を収集および提示する前記ステップが、
前記凝集された供給情報を作成するために、ポイント・ツー・ポイント接続からの金融情報交換データをリアルタイムに凝集するステップと、
供給バックボーン・ネットワークに対し前記供給情報を標準化したフォーマットでリアルタイムに公表するステップと、
メッセージ・キャプチャの活性化および非活性化について顧客制御を提供するステップと、
凝集された供給情報を複数の顧客に提供するステップと、
接続トラフィックのマルチキャスト・プロセスへの伝送を構成するステップと、
を含む、方法。
【請求項１８】
請求項１３記載の方法において、ネットワークおよびコンピュータ・システムの管理に関するトランザクションを処理する前記ステップが、
金融情報交換プロキシ・コンピュータ・システムおよびネットワーク構成を管理するステップと、
金融情報交換プロキシ・コンピュータ・システムの動作セッションを管理するステップと、
を含む、方法。
【請求項１９】
請求項１８記載の方法において、金融情報交換プロキシ・コンピュータ・システムおよびネットワーク構成を管理する前記ステップが、
金融情報交換プロキシ・コンピュータ・システム間のメッセージ処理負荷をバランシングするステップと、
金融情報交換プロキシ・コンピュータ・システム内のメッセージ処理負荷をスロットルするステップと、
動作イベントおよびプロキシ接続トラフィックをロギングするステップと、
サービス提供しているホストを、既存の顧客接続の状態に影響をおよぼすことなく活性サービスに引き込みおよび引き出すステップと、
サービス提供しているプロキシ接続を、他の顧客接続の状態に影響をおよぼすことなく活性サービスに引き込みおよび引き出すステップと、
クライアントの取引相手のエンドポイント間の接続性を維持するステップと、
を含む、方法。
【請求項２０】
請求項１８記載の方法において、金融情報交換プロキシ・コンピュータ・システムの動作セッションを管理する前記ステップが、
１以上のユーザ接続イベント処理プログラム・コンポーネントと、
１以上のユーザ切断イベント処理プログラム・コンポーネントと、
１以上の金融情報交換接続ステータス管理プログラム・コンポーネントと、
を含む、方法。